(57)【要約】【課題】  電線接続用スリーブを圧縮機で安全にかしめることができる電線接続用治具、及びこれを用いて電線を接続する方法を提供する。【解決手段】  電線接続用治具１０は、板状の基板１１と、その少なくとも一端側に電線接続用スリーブ１を嵌め込み支持するように設けた略Ｕ字形のスリーブ装着部１２とから成る。使用時には、スリーブ装着部１２に装着したスリーブ１を圧縮機４の締付け部に位置付けて保持する。接続する電線２ａ、２ｂの接続部３ａ、３ｂをスリーブ１の一端又は両端から内側に挿入し、圧縮機でスリーブ１を押しつぶすことで、電線接続部３ａ、３ｂを結合する。【選択図】  図４
2007179878.tif 000002
【特許請求の範囲】
【請求項１】
板状の基板と、該基板の片面又は両面の少なくとも一端側に電線接続用スリーブを嵌め込んで支持するように設けたスリーブ装着部とから成ることを特徴とする電線接続用治具。
【請求項２】
請求項１記載の電線接続用治具において、
前記スリーブ装着部は、その内側に前記スリーブが嵌め込まれる略Ｕ字形に形成されていることを特徴とする電線接続用治具。
【請求項３】
請求項２記載の電線接続用治具において、
前記基板は、前記スリーブ装着部に囲まれた部分に切欠き部を有することを特徴とする電線接続用治具。
【請求項４】
請求項１記載の電線接続用治具において、
前記スリーブ装着部は略円柱状で、その外側に前記スリーブが嵌め込まれることを特徴とする電線接続用治具。
【請求項５】
請求項１乃至４のいずれか記載の電線接続用治具において、
前記スリーブ装着部は複数設けられ、各スリーブ装着部の寸法がそれぞれ異なることを特徴とする電線接続用治具。
【請求項６】
請求項１乃至５のいずれか記載の電線接続用治具において、
前記スリーブ装着部は複数設けられ、少なくともその一つは前記スリーブが嵌め込まれる略Ｕ字形に形成され、他の少なくとも一つは，その外側に前記スリーブが嵌め込まれる略円柱状に形成されることを特徴とする電線接続用治具。
【請求項７】
請求項１乃至６のいずれか記載の電線接続用治具において、
前記電線接続用スリーブはＣ型スリーブであることを特徴とする電線接続用治具。
【請求項８】
電線接続用スリーブにより電線を接続する方法において、
板状の基板と該基板の一端側に設けたスリーブ装着部とから成る電線接続用治具を用いて、前記スリーブ装着部に前記スリーブを嵌め込むことで保持し、該スリーブの内側に電線の接続端を入れて圧縮機でかしめることを特徴とする電線接続方法。
【発明の詳細な説明】
【技術分野】
【０００１】
本発明は、電線接続用治具及びこれを用いた電線接続方法に関する。
【背景技術】
【０００２】
従来、電線を架設したり、柱上トランスに用いられるＣＶケーブルを張り替えたりする際には、電線接続用スリーブを用いて電線又はＣＶケーブル（以下、これらを総称して「電線」という）を接続している。
【０００３】
図１２に示すように、電線接続用スリーブ１は、例えば、銅のような軟質の導電体で断面が略Ｃ字形の筒形に形成された部材（これを「Ｃ型スリーブ」という）である。使用の際には、スリーブ１の内側に接続しようとする２本の電線の接続部を挿入し、この外側面の中央部をかしめて、図１３及び図１４に示すように変形させることにより、電線を強固に接続する。このようにスリーブをかしめるために、油圧或いは空圧式等の圧縮機が用いられる。
【０００４】
図１５に示すように、圧縮機４は、スリーブ１をかしめる締付け部５に、固定ダイス６と、これに対向する可動ダイス７とを有する。可動ダイス７は、油圧、空圧等により、固定ダイス６に向かう方向に駆動され、可動ダイス７と固定ダイス６との間に装填したスリーブ１をかしめることができる。固定ダイス６及び可動ダイス７は、スリーブ１をかしめる際に確実に保持できるように、それぞれスリーブ１の外側形状に沿った形状の窪み部８及び９を有している。
【０００５】
スリーブ１を用いて電線２ａ、２ｂを接続するときは、まず、電線２ａ、２ｂの接続部（ケーブルの場合、導線）３ａ、３ｂをスリーブ１の内側に挿入する。次に、スリーブ１を圧縮機４の固定ダイス６の窪み部８に当接させるように装填し、手で保持する。そして、圧縮機４を作動させ、可動ダイス７を固定ダイス６の方に駆動してスリーブ１を強力にかしめると、スリーブ１の中央部が押しつぶされて変形し、電線２ａ、２ｂの接続部３ａ、３ｂを堅固に接続した状態となる。
【発明の開示】
【発明が解決しようとする課題】
【０００６】
上記のようにスリーブを用いて電線を接続する作業では、かしめる作業が終わるまでスリーブを手で保持する必要がある。そのため、圧縮機の可動ダイスを強い力で動かすときに、可動ダイスと固定ダイスの間に作業者の指が挟まれたり手袋が引き込まれたりして、怪我をする危険があった。
【０００７】
本発明は、電線接続用スリーブを圧縮機で安全にかしめることができる電線接続用治具と、これを用いた電線接続方法を提供することを目的とする。
【課題を解決するための手段】
【０００８】
本発明の電線接続用治具は、板状の基板と、その片面又は両面の少なくとも一端側に電線接続用スリーブを嵌め込み支持するように設けたスリーブ装着部とから成ることを特徴とする。
【０００９】
前記スリーブ装着部は、その内側にスリーブが嵌め込まれる略Ｕ字形であることが好ましい。この場合、前記基板は、前記スリーブ装着部に囲まれた部分に切欠き部を有するようにしてもよい。これにより、スリーブの両端から電線を挿入して接続できる。
【００１０】
また、スリーブ装着部は略円柱状で、その外側にスリーブが嵌め込まれるようにしてもよい。これにより、略Ｕ字形のスリーブ装着部では保持しづらい小型のスリーブにも対応できる。複数のスリーブ装着部が設けられる場合は、各スリーブ装着部の寸法がそれぞれ異なるようにしてもよい。これにより、寸法の異なるスリーブに対応できる。
【００１１】
また、スリーブ装着部は複数設けられ、少なくともその一つは前記スリーブが嵌め込まれる略Ｕ字形に形成され、他の少なくとも一つは，その外側に前記スリーブが嵌め込まれる略円柱状に形成してもよい。これにより、さらに多種のスリーブに対応できるようになる。
【００１２】
前記電線接続用スリーブとしては、例えばＣ型スリーブが用いられる。
【００１３】
本発明の電線接続方法は、電線接続用スリーブにより電線を接続する方法であって、板状の基板とその少なくとも一端側に設けたスリーブ装着部とから成る電線接続用治具を用いて、そのスリーブ装着部にスリーブを嵌め込むことで保持し、該スリーブの内側に電線の接続端を入れて圧縮機でかしめることを特徴とする。
【発明の効果】
【００１４】
本発明によれば、電線接続用スリーブを用いて電線を接続する際に、スリーブを、作業者の手で直接保持するのではなく、作業者が手に持った電線接続用治具により、圧縮機の締付け部に保持することができるので、圧縮機の締付け部に指が挟まれたり手袋が引き込まれたりすることなく、電線接続用スリーブを圧縮機で安全にかしめることができる。
【発明を実施するための最良の形態】
【００１５】
以下、実施例の電線接続用治具及びこれを用いた電線接続方法について説明する。
【００１６】
まず、同一方向を向く２本の電線を接続する場合について説明する。図１は第１実施形態の電線接続用治具の斜視図、図２はその正面図、図３はその側面図である。
【００１７】
図示の電線接続用治具１０は、長方形の基板１１の両面（又は片面）の長手方向の両端（又は一端）に、１つ又は複数のスリーブ装着部１２を備える。複数のスリーブ装着部１２ａ〜１２ｄを備える場合には、装着される電線接続用スリーブ１の外側形状の寸法に合わせて、スリーブ装着部１２ａ〜１２ｄをそれぞれ異なる寸法とするのが望ましい。
【００１８】
基板１１は、木製又はプラスチック製の矩形板であるが、任意の形状とすることができる。この基板１１の中央の側部（側面近傍）には貫通孔１３が設けられている。この孔に紐を通して作業者のベルト等に吊り下げておけば、電線接続用治具１０の落下を防ぐことができる。
【００１９】
また、基板１１の表面上で略Ｕ字形のスリーブ装着部１２の内側部分（図１の網目をつけた部分）１４ａ，１４ｂに、ゴム製又はサンドペーパ状のテープを貼付してもよい。これにより、後述のようにスリーブ装着部１２の内側に装着されたスリーブ１が当接する面の摩擦係数が増大するので、スリーブのずれや脱落を防ぐことができる。
【００２０】
スリーブ装着部１２は、木又はプラスチック材料で、基板１１と一体に或いは基板１１とは別に形成され、基板１１の表面に設けられた略Ｕ字状の部材から成る。その厚さ（基板上からの高さ）は、装着されるスリーブ１の１／３程度であることが望ましい。短すぎるとスリーブ１がスリーブ装着部１２に支持されにくく、長すぎるとスリーブ１をかしめにくくなる。
【００２１】
スリーブ１は、基板１１上のスリーブ装着部１２ａの開口部分からその内側に嵌めこまれ、スリーブ１の端面が、スリーブ装着部１２に囲まれた部分１４ａ（又はこれに貼付されたテープ）に当接し、かつスリーブ１の外側面がスリーブ装着部１２ａの内側面１５ａに当接するように装着される。スリーブ装着部１２の内側面１５は、装着されるスリーブ１の外側形状に適合する寸法となっている。なお、図１のように、スリーブ装着部１２の開口端部を丸く形成する（Ｒを付ける）ことにより、スリーブ１の装着又は取り外しが円滑に行われる。
【００２２】
次に、本発明の電線接続用治具を用いて、同一方向を向く２本の電線を接続する方法について説明する。図４は、上記電線接続用治具１０を用いて作業を行う場合を示している。
（１）先ず、スリーブ１を電線接続用治具１０に装着する。このとき、スリーブ１は、スリーブ装着部１２ａの開口部分から嵌めこまれ、スリーブ１の端面がスリーブ装着部１２ａに囲まれた基板部分１４ａ（又は同部分に貼付されたテープ）に当接し、かつスリーブ１の外側面がスリーブ装着部１２の内側面１５に当接するように装着される。
（２）スリーブ１を上記（１）の状態に保持した電線接続用治具１０をもって、スリーブ１を圧縮機４の締付け部５に装填する。このとき、スリーブ１の外側面が圧縮機４の固定ダイス６の窪み部８に当接し、かつ、スリーブ装着部１２ａの上面１６ａが固定ダイス６の側面に接するように、電線接続用治具１０を圧縮機４の締付け部５に沿って保持する。
（３）同一方向を向く２本の電線２ａ，２ｂの接続部３ａ，３ｂをスリーブ３の一端からその内側に挿入する。このとき、接続部３ａ，３ｂの長さはスリーブ１の長さと同程度であることが望ましい。
（４）圧縮機４の可動ダイス７を動かし、可動ダイス７と固定ダイス６でスリーブ１をかしめる。これにより、スリーブ１が押しつぶされ、電線２ａ，２ｂの接続部３ａ，３ｂが堅固に接続される。
（５）圧縮機４の可動ダイス７を逆方向に動かし、電線２ａ，２ｂを接続したスリーブ１を圧縮機４の締付け部５から取り出し、かつ電線接続用治具１０を外す。
【００２３】
次に、上記のような略Ｕ字形のスリーブ装着部では保持しづらい小型のスリーブ１’（図５）を使用する場合は、基板上に突出状のスリーブ装着部を設けた電線接続用治具を用いることが好ましい。図５は、その電線接続用治具の形態を示す斜視図、図６は正面図、図７は側面図である。
【００２４】
第２実施形態の電線接続用治具２０は、上記電線接続用治具１０が有する略Ｕ字形のスリーブ装着部１２ａ〜１２ｄのうちのいくつか（例えば、１２ｂ，１２ｃ）に代えて、突出状スリーブ装着部２７ａ，２７ｂ（図７）を設けたものである。
【００２５】
これらの突出状スリーブ装着部２７ａ，２７ｂは、基板１１上に略Ｕ字形のスリーブ装着部１２ａと同程度の高さを有する台座２８ａ，２８ｂ（図７）を設けて、その上に設置されている。突出状スリーブ装着部２７ａ，２７ｂ及び台座２８ａ，２８ｂは、略円柱形の木製又はプラスチック製の部材から成る。突出状スリーブ装着部２７ａ，２７ｂは略円柱形で、寸法はスリーブ１の内側形状と同程度であり、長さはスリーブ１の１／３程度である。なお、台座２８ａ，２８ｂの上面２９ａ，２９ｂに前述の摩擦テープを貼付してもよい。
【００２６】
図５に示すように、小型のスリーブ１’は、突出状スリーブ装着部２７ａの外側に嵌め込まれ、スリーブ１’の端面が台座２８ａの上面２９ａ又はテープに当接するように装着される。
【００２７】
次に、逆方向を向く２本の電線を接続する場合について説明する。図８は、この場合に用いられる電線接続用治具の斜視図、図９は正面図、図１０は側面図である。
【００２８】
第３実施形態の電線接続用治具３０は、第１実施形態の電線接続用治具１０においてスリーブ装着部１２に囲まれた基板部分１４を、スリーブ装着部１２から 2 mm 程度離間して除去することで、略Ｕ字形の切欠き部３９を形成したものである。この切欠き部３９の周囲の基板部分３４（図の網目部分）に、上述のテープが貼られていてもよい。
【００２９】
図８に示すように、スリーブ１は、スリーブ装着部１２ａの開口部分から嵌め込まれて、スリーブ１の端面が切欠き部３９周囲の基板部分３４ａ（又はこれに貼付されたテープ）に当接し、かつスリーブ１の外側面がスリーブ装着部１２ａの内側面１５ａに当接するように装着される。
【００３０】
次に、この電線接続用治具３０を用いて、逆方向を向く２本の電線を接続する方法について説明する。図１１は、この電線接続用治具を用いて電線を接続する方法を示している。
（１１）先ず、スリーブ１を電線接続用治具３０に装着する。このとき、スリーブ１は、スリーブ装着部１２ａの開口部分から嵌め込まれ、スリーブ１の端面が切欠き部３９ａ周囲の基板部分３４ａ又はテープに当接し、かつスリーブ１の外側面がスリーブ装着部１２ａの内側面１５ａに当接するように装着される。
（１２）スリーブ１を上記（１１）の状態に保持した電線接続用治具３０をもって、スリーブ１を圧縮機４の締付け部５に装填する。このとき、スリーブ１の外側面が圧縮機４の固定ダイス６の窪み部８に当接し、かつスリーブ装着部１２ａの上面１６ａが固定ダイス６の側面に当接するように、電線接続用治具１０を圧縮機４の締付け部５に沿って保持する。
（１３）一方の電線２ａの接続部３ａをスリーブ１の一端側から内側に挿入する。また、他方の電線２ｂの接続部３ｂは、電線２ａを逆向きにして、切欠き部３９ａを通ってスリーブ１の他端側から内側に挿入する。このとき、接続部３ａ，３ｂの長さはスリーブ１の長さと同程度であることが望ましい。
（１４）圧縮機４の可動ダイス７を動かして、可動ダイス７と固定ダイス６とでスリーブ１をかしめる。これによって、スリーブ１が押しつぶされ、電線２ａ，２ｂの接続部３ａ，３ｂが堅固に接続される。
（１５）圧縮機４の可動ダイス７を逆方向に動かし、電線２ａ，２ｂを接続したスリーブ１を圧縮機４の締付け部５から取り出し、かつ電線接続用治具３０を外す。
【００３１】
本発明は、以上の実施形態に限定されるものでなく、本発明の技術思想の範囲内において種々の変形及び変更が可能である。例えば、上記実施形態では、Ｃ型スリーブを用いているが、対象とするスリーブはＣ型のものに限らない。
【図面の簡単な説明】
【００３２】
【図１】第１実施形態の電線接続用治具の斜視図。
【図２】第１実施形態の電線接続用治具の正面図。
【図３】第１実施形態の電線接続用治具の側面図。
【図４】第１実施形態の電線接続用治具を用いて電線を接続する方法の説明図。
【図５】第２実施形態の電線接続用治具の斜視図。
【図６】第２実施形態の電線接続用治具の正面図。
【図７】第２実施形態の電線接続用治具の側面図。
【図８】第３実施形態の電線接続用治具の斜視図。
【図９】第３実施形態の電線接続用治具の正面図。
【図１０】第３実施形態の電線接続用治具の側面図。
【図１１】第３実施形態の電線接続用治具を用いて電線を接続する方法の説明図。
【図１２】かしめる前の電線接続用スリーブの斜視図。
【図１３】かしめた後の電線接続用スリーブの斜視図。
【図１４】かしめた後の電線接続用スリーブの正面図。
【図１５】圧縮機を用いて電線接続用スリーブで電線を接続する作業工程を示す図。
【符号の説明】
【００３３】
１：電線接続用スリーブ、２ａ，２ｂ：電線、３ａ，３ｂ：接続部、４：圧縮機、５：締付け部、６：固定ダイス、７：可動ダイス、１０，２０，３０：電線接続用治具、１１：基板、１２：スリーブ装着部、１３：貫通孔、１４：基板部分、１５：スリーブ装着部の内側面、１６：スリーブ装着部の上面、２７：突出状スリーブ装着部、２８：台座、２９：台座の上面、３４：基板部分、３９：切欠き部。
【図１】
2007179878.tif 000003
【図２】
2007179878.tif 000004
【図３】
2007179878.tif 000005
【図４】
2007179878.tif 000006
【図５】
2007179878.tif 000007
【図６】
2007179878.tif 000008
【図７】
2007179878.tif 000009
【図８】
2007179878.tif 000010
【図９】
2007179878.tif 000011
【図１０】
2007179878.tif 000012
【図１１】
2007179878.tif 000013
【図１２】
2007179878.tif 000014
【図１３】
2007179878.tif 000015
【図１４】
2007179878.tif 000016
【図１５】
2007179878.tif 000017